(57)【要約】【課題】移動式格納媒体を挿入すると、アップデーティングの手続を自動に実行でき、特定製品コードをスキャンすると、上記の製品コードに含まれた商品品目にマッチングする映像ファイルを直で再生できる映像ディスプレイシステムに関する。【解決手段】本発明による映像ディスプレイシステムでは、移動式格納媒体をＤＩＤメーンボードに挿入すれば、移動式格納媒体に格納された削除される映像ファイルリストに入力された映像ファイルを削除すると同時に、新しい映像ファイルを複写して、外付型メモリに格納する。また、外付型メモリに格納された映像ファイルが既設定の順序により再生される途中、特定製品に表示された製品コードをスキャンすると、現在再生される映像ファイルを強制的に中止すると同時に、外付型メモリに格納された映像ファイルのうち、上記の製品コードの識別番号と同一のファイル名として指定された映像ファイルを直で再生する。【選択図】図２
2013073234.tif 000002
【特許請求の範囲】
【請求項１】
製品を陳列するための内部空間が形成された四角形状のケースと；
前記ケースの内部に設置され、一つ以上の特定映像ファイルを既設定の順序により読み出して、使用者が視聴できるようにデコーディング処理して出力するＤＩＤメーンボードと；
前記ＤＩＤメーンボードに着脱自在に連結し、使用者の制御により前記ＤＩＤメーンボードが読み出す一つの映像ファイルが格納され外付型メモリと；
前記ケースの前面に固定され、前記ＤＩＤメーンボードから出力されるオーディオ及びビデオ信号を受信してディスプレイするモニタと；
前記ＤＩＤメーンボードに着脱自在に連結し、商品品目情報を含んだ税品コードをスキャンし、スキャンしたコードを前記ＤＩＤメーンボードに伝達するコードリーターと；
前記ＤＩＤメーンボードに着脱自在に連結し、前記外付型メモリに少なくとも一つ以上の新しい映像ファイルを格納したり、前記外付型メモリに格納された少なくとも一つ以上の映像ファイルを削除するための移動式格納媒体とからなり、
使用者が前記移動式格納媒体を前記ＤＩＤメーンボードに着脱自在に連結するように挿入すれば、前記ＤＩＤメーンボードは、前記移動式格納媒体に格納された削除される映像ファイルリストに入力された映像ファイルを削除すると同時に、前記移動式格納媒体に格納された新しい映像ファイルを複写して、前記外付型メモリに格納することを特徴とする、映像ディスプレイシステム。
【請求項２】
前記外付型メモリに格納された映像ファイルが既設定の順序により再生される途中、使用者が、前記コードリーターを用いて特定製品に表示された製品コードをスキャンする場合、前記ＤＩＤメーンボードは、現在再生される映像ファイルを強制的に中止させると同時に、前記外付型メモリに格納された映像ファイルのうち、スキャンされた製品コードの識別番号と同一のファイル名として指定された映像ファイルを直で再生することを特徴とする、請求項１に記載の映像ディスプレイシステム。
【請求項３】
使用者が、前記製品コードを前記コードリーターを用いてスキャンする毎に、前記ＤＩＤメーンボードは、前記モニタの一側に既設定の期間の間に、同一の製品コードがスキャンされた全体スキャン回数情報を表示することを特徴とする、請求項２に記載の映像ディスプレイシステム。
【請求項４】
前記製品コードは、バーコード又はＲＦＩＤコードが用いられ、前記コードリーターはバーコートリーター又はＲＦＩＤコードリーターが用いられることを特徴とする、請求項１に記載の映像ディスプレイシステム。
【請求項５】
前記ＤＩＤメーンボードは、
前記外付型メモリに格納された特定映像ファイルをデコーディング処理して出力するための全般的な制御動作を遂行するＣＰＵと；
前記ＣＰＵの制御により前記外付型メモリから読み出した映像ファイルがロードされる第１内部メモリと；
前記外付型メモリから読み出した映像ファイルを内蔵されたハードウェアコデックスを用いてデコードするビデオデコーダと；
前記ビデオデコーダからデコードされた映像信号にテキストがミキシングされた映像信号を前記モニタに伝送するオーディオ及びビデオ部と；
前記移動式格納媒体に格納された映像ファイルを読み出して、前記第１内部メモリにロードする周辺機器インターフェース部と；
前記映像ディスプレイシステムに具備された各種ハードウェアの初期化作業を遂行する応用プログラムが格納される第２内部メモリとを含むことを特徴とする、請求項１に記載の映像ディスプレイシステム。
【請求項６】
一つ以上の映像ファイルを既設定の順序により読み出して、使用者が視聴できるようにデコーディング処理して出力するＤＩＤメーンボードと、前記ＤＩＤメーンボードに着脱自在に連結する外付型メモリとからなる映像ディスプレイシステムであって、
(ａ１)使用者が、移動式格納媒体の内部に新たに格納する映像ファイルを格納し、前記外付型メモリに格納された映像ファイルのうち、削除する映像ファイルのファイル名を入力する段階と；
(ｂ１)使用者が、前記移動式格納媒体を前記ＤＩＤメーンボードに連結するように挿入する段階と；
(ｃ１)前記ＤＩＤメーンボードは、前記削除される映像ファイルリストが存在する場合、該映像ファイルを削除する段階と；
(ｄ１)前記ＤＩＤメーンボードは、前記移動式格納媒体に前記外付型メモリに新たに格納される映像ファイルが存在する場合、該映像ファイルを複写して、前記外付型メモリに格納する段階とを含むことを特徴とする、映像ディスプレイ方法。
【請求項７】
前記格納及び入力段階(ａ１)は、
使用者が、移動式格納媒体を別途のコンピュータに連結して、ＵｐｄａｔｅフォルダとＤｅｌｅｔｅ.ｔｘｔファイルを各々生成する段階と；
使用者が、前記コンピュータにおいて一つ以上の映像ファイルを生成する段階と；
使用者が、生成された映像ファイルのファイル名を特定製品コードの識別番号と同一に指定し、指定された映像ファイルを複写して、前記移動式格納媒体のＵｐｄａｔｅフォルダに格納する段階と；
使用者が、前記Ｄｅｌｅｔｅ.ｔｘｔファイル内に前記外付型メモリに格納された映像ファイルのうち、削除する映像ファイルのファイル名を入力する段階とからなることを特徴とする、請求項６に記載の映像ディスプレイ方法。
【請求項８】
前記削除及び格納段階(ｃ１、ｄ１)は、
前記ＤＩＤメーンボードが、前記移動式格納媒体の接続が感知される場合、前記移動式格納媒体のＤｅｌｅｔｅ.ｔｘｔファイル内に削除される映像ファイルリストが存在するか否かを判断する段階と；
判断の結果、前記削除される映像ファイルリストが存在する場合、前記ＤＩＤメーンボードが、前記外付型メモリに格納された該映像ファイルを削除する段階と；
前記ＤＩＤメーンボードが、前記移動式格納媒体のＵｐｄａｔｅフォルダ内に新たに格納される映像ファイルが存在するか否かを判断する段階と；
判断の結果、前記移動式格納媒体のＵｐｄａｔｅフォルダ内に前記外付型メモリに新たに格納される映像ファイルが存在する場合、前記ＤＩＤメーンボードが、前記移動式格納媒体のＵｐｄａｔｅフォルダ内にある該映像ファイルを複写して、前記外付型メモリに格納する段階とを含むことを特徴とする、請求項７に記載の映像ディスプレイ方法。
【請求項９】
前記削除段階は、前記Ｄｅｌｅｔｅ.ｔｘｔファイルの内部に自動に実行されるプログラムにおいて、[ｄｅｌｅｔｅ]の次のラインにｎｏｎｅ、ａｌｌ又は削除する一つ以上の映像ファイルのファイル名の一つを入力する方式により実行されることを特徴とする、請求項８に記載の映像ディスプレイ方法。
【請求項１０】
一つ以上の映像ファイルを既設定の順序により読み出して、使用者が視聴できるようにデコーディング処理して出力するＤＩＤメーンボードと、前記ＤＩＤメーンボードに着脱自在に連結する外付型メモリと、前記ＤＩＤメーンボードから出力されるオーディオ及びビデオ信号を受信してディスプレイするモニタとからなる映像ディスプレイシステムであって、
(ａ２)使用者が，前記ＤＩＤメーンボードに連結する前記外付型メモリに特定製品コードの識別番号と同一名として指定された一つ以上の映像ファイルを格納する段階と；
(ｂ２)使用者が、前記外付型メモリを前記ＤＩＤメーンボードに脱着自在に連結する段階と；
(ｃ２)前記ＤＩＤメーンボードが、前記外付型メモリに格納された一つ以上の映像ファイルを既設定の順序により再生する段階と；
(ｄ２)使用者がコードリーターを前記ＤＩＤメーンボードに脱着自在に連結した状態において、前記コードリーターを用いて特定製品に表示された製品コードをスキャンする段階と；
(ｅ２)前記ＤＩＤメーンボードが、前記スキャンされた製品コードが入力されれば、現在再生される映像ファイルを強制的に中止させると同時に、前記外付型メモリに格納された映像ファイルのうち、スキャンされた製品コードの識別番号と同一のファイル名として指定された映像ファイルを直で再生する段階とを含むことを特徴とする、映像ディスプレイ方法。
【請求項１１】
前記格納段階(ａ２)は、
使用者が、別途のコンピュータに前記外付型メモリを連結させてＣｏｎｔｅｎｔｓフォルダを生成する段階と；
使用者が、前記コンピュータにおいて映像ファイルのファイル名が前記製品コードの識別番号として指定される一つ以上の映像ファイルを生成する段階と；
使用者は、生成された映像ファイルを複写して、前記外付型メモリのＣｏｎｔｅｎｔｓフォルダに格納する段階とからなることを特徴とする、請求項１０に記載の映像ディスプレイ方法。
【請求項１２】
前記再生段階(ｅ２)は、
前記ＤＩＤメーンボードが、スキャンされた製品コードが入力されたか否かを判断する段階と；
前記ＤＩＤメーンボードが、前記製品コードが入力されれば、スキャンされた製品コードの識別番号と同一のファイル名として指定された映像ファイルが前記外付型メモリのＣｏｎｔｅｎｔｓフォルダに格納するか否かを判断する段階と；
もし、Ｃｏｎｔｅｎｔｓフォルダにスキャンされた製品コードの識別番号と同一のファイル名として指定された映像ファイルが存在する場合、前記ＤＩＤメーンボードが、現在再生される映像ファイルを強制的に中止させると同時に、スキャンされた製品コードの識別番号と同一のファイル名として指定された映像ファイルを直で再生する段階とを含むことを特徴とする、請求項１０に記載の映像ディスプレイ方法。
【請求項１３】
使用者が、前記製品コードを前記コードリーターを用いてスキャンする毎に、前記ＤＩＤメーンボードは、前記モニタの一側に既設定の期間の間に、同一の製品コードがスキャンされた全体スキャン回数情報を表示する段階をさらに含むことを特徴とする、請求項１０に記載の映像ディスプレイ方法。
【発明の詳細な説明】
【技術分野】
【０００１】
本発明は、映像ディスプレイシステム及び方法に関し、特に、使用者が別途の入力装置や操作装置を使用しなくても、映像ファイルのアップデート手続を実行でき、また、映像ファイルが既設定の再生順序により再生される途中、特定製品のコードがスキャンされれば、スキャンされた製品コードにマッチングされる映像ファイルを直で再生するのに適当な映像ディスプレイシステム及び方法に関する。
【背景技術】
【０００２】
一般に、モニタは、システムのグラフィックカードから入力される映像データ(文字、映像、イメージ)を目視できるように表示する画面表示装置である。
【０００３】
このようなモニタは、初期に開発されたＣＲＴモニタを始め、ＬＣＤ(Liquid Crystal Display)モニタ、ＬＥＤ(Light Emitting Diode)モニタ、ＰＤＰ(Plasma Display Panel)モニタなどのように、持続的に発展している。
【０００４】
これにより、一般のモニタは、個人用コンピュータに連結して使用されていって、売場管理用モニタ、屋外広告用モニタ、室内広告用モニタ、各種情報をリアルタイムに通報するモニタなどのように、その適用領域が益々拡大されている。
【０００５】
特に、モニタを用いて多様な製品を広報するための映像ファイルを再生するモニタシステムが設置及び運用されている。例えば、特許文献１に記載された広告用ＬＣＤモニタは、本体の前面中央部に設置され、映像がディスプレイされるディスプレイ部と、ディスプレイ部の上部に設置された特定会社のログ部と、ディスプレイ部の左右側に各々設置された一対の商品部とが、本体に一体型に構成される。
【０００６】
したがって、ディスプレイ部に特定映像が再生される間、左右側に各々設置された商品部に特定会社の広告を含んだ外部の天気や時間などのような付加情報がリアルタイムに提供される。
【０００７】
しかしながら、特許文献１に記載された広告用ＬＣＤモニタは、ディスプレイ部に特定映像を再生させると同時に、一対の商品部に特定会社の広告を再生しなければならないため、全体システムの構成が多少複雑される恐れがあった。
【０００８】
また、ディスプレイ部や商品部に映像を追加又は削除する際、或いは、必要時に特定の映像を直で再生するためには、別途の入力装置や操作装置を用いて所望の制御手続を実行しなげればならなかった。
【０００９】
特許文献２に記載された映像再生デコーダを含む広告モニタは、格納媒体と、入力部と、格納媒体から読み出した映像データをデコードする映像及び音声デコーダと、デコードした映像データを出力するＬＣＤパネルと、スピーカとが一体型に構成され、格納媒体に格納された多数の映像データを入力部の操作によって再生させたり、映像データの追加格納又は削除が実行できた。
【００１０】
しかしながら、特許文献２に記載された映像再生デコーダを含む広告モニタは、広告用映像データを再生に必要な回路のみで構成したので、特許文献１に設置されたコンピュータ端末機の構成よりも相対的に単純に構成されるが、使用者が入力部や操作部を用いて全ての映像データの追加格納、削除、直再生などの動作を実行できた。
【００１１】
特許文献３に記載された使用者の制御が可能な広告モニタは、特許文献２と同様な構成において入力部が具備されなかったが、映像データの追加格納、削除、再生などの動作のために赤外線リモコンや携帯電話の赤外線通信を用いる遠隔制御部と、遠隔制御が可能であるように無線データ網を提供する無線データ部とがさらに構成される。
【００１２】
しかしながら、このような特許文献３の使用者の制御が可能なモニタは、赤外線リモコンや携帯電話を必ず利用して、所望の追加格納、削除又は直再生の動作が制御できた。
【００１３】
前述した特許文献１〜３によれば、使用者が、映像データをアップロード、削除、編集したり、多数の映像データを順次再生したり、または特定映像データを直で再生するためには、必ず有線又は無線の入力装置や操作装置を用いて、所望の制御動作が実行できた。
【００１４】
しかしながら、例えば、デパートのような室内売場にモニタが設置された場合、屋外にモニタが設置された場合、または室外で見られるように室内から室外方向へモニタが設置された場合、必要に応じて、特定映像ファイルを新たに格納又は削除したり、特定映像を直で再生しながら顧客に該製品の広報を極大化する必要がある場合、既存の入力装置を利用すれば所望の制御動作を設定するための別途の操作行為及び操作時間が必要になるが、このような操作行為は製品を販売しながらするのに不便であった。
【００１５】
例えば、売場にモニタが設置されて顧客が特定製品に関心を持つ場合、顧客との相談中に迅速且つ便利にその製品に関する映像ファイルを再生させることができると、顧客が該製品に信頼性を持つことができ、このような信頼性は購買につながる可能性が高くなる。
【先行技術文献】
【特許文献】
【００１６】
【特許文献１】大韓民国公開実用新案公報２０−２００８−０００４６６９
【特許文献２】大韓民国公開特許公報１０−２００８−００６６４７９
【特許文献３】大韓民国公開特許公報１０−２００８−００７１７２６
【発明の概要】
【発明が解決しようとする課題】
【００１７】
本発明の目的は、前記問題点を克服するために案出したもので、使用者が移動式格納媒体を映像ディスプレイシステムに連結するように挿入しさえすれば、映像ディスプレイシステムの制御により映像ファイルの削除又は格納機能を実行するアップデート手続を自動に実行できる映像ディスプレイシステム及び方法を提供することにある。
【００１８】
本発明の他の目的は、一つ以上の映像ファイルが既設定の再生順序により再生される途中、使用者が特定製品に付着されたり印刷された特定製品コードをコードリーターを用いてスキャンすれば、スキャンした製品コードとマッチングされる該映像ファイルを直で再生できる映像ディスプレイシステム及び方法が提供することにある。
【００１９】
本発明のまた他の目的は、使用者が特定製品コードをスキャンすることにより、スキャンされた製品コードとマッチングされる映像ファイルが直で再生される場合、モニタの一側に既設定の期間の間に製品コードがスキャンされた全体スキャン回数情報を表示できる映像ディスプレイシステム及び方法が提供することにある。
【課題を解決するための手段】
【００２０】
前記目的を達成するために、本発明による映像ディスプレイシステムは、製品を陳列するための内部空間が形成された四角形状のケースと；前記ケースの内部に設置され、一つ以上の特定映像ファイルを既設定の順序により読み出して、使用者が視聴できるようにデコーディング処理して出力するＤＩＤ(Digital Information Displayer)メーンボードと；前記ＤＩＤメーンボードに着脱自在に連結し、使用者の制御により前記ＤＩＤメーンボードが読み出す一つの映像ファイルが格納される外付型メモリと；前記ケースの前面に固定され、前記ＤＩＤメーンボードから出力されるオーディオ及びビデオ信号を受信してディスプレイするモニタと；前記ＤＩＤメーンボードに着脱自在に連結し、商品品目情報を含んだ製品コードをスキャンし、スキャンしたコードを前記ＤＩＤメーンボードに伝達するコードリーターと；前記ＤＩＤメーンボードに着脱自在に連結し、前記外付型メモリに少なくとも一つ以上の新しい映像ファイルを格納したり、前記外付型メモリに格納された少なくとも一つ以上の映像ファイルを削除するための移動式格納媒体とからなり、使用者が前記移動式格納媒体を前記ＤＩＤメーンボードに着脱自在に連結するように挿入すれば、前記ＤＩＤメーンボードは、前記移動式格納媒体に格納された削除される映像ファイルリストに入力された映像ファイルを削除すると同時に、前記移動式格納媒体に格納された新しい映像ファイルを複写して、前記外付型メモリに格納する。
【００２１】
また、前記外付型メモリに格納された映像ファイルが既設定の順序により再生される途中、使用者が前記コードリーターを用いて特定製品に表示された製品コードをスキャンする場合、前記ＤＩＤメーンボードは、現在再生される映像ファイルを強制的に中止させると同時に、前記外付型メモリに格納された映像ファイルのうち、スキャンされた製品コードの識別番号と同一のファイル名として指定された映像ファイルを直で再生する。
【００２２】
本発明の他の目的を達成するために、本発明による映像ディスプレイ方法は、一つ以上の映像ファイルを既設定の順序により読み出して、使用者が視聴できるようにデコーディング処理して出力するＤＩＤメーンボードと、前記ＤＩＤメーンボードに着脱自在に連結する外付型メモリとからなる映像ディスプレイシステムであって、(ａ１)使用者が、移動式格納媒体の内部に新たに格納する映像ファイルを格納し、前記外付型メモリに格納された映像ファイルのうち、削除する映像ファイルのファイル名を入力する段階と；(ｂ１)使用者が、前記移動式格納媒体を前記ＤＩＤメーンボードに連結するように挿入する段階と；(ｃ１)前記ＤＩＤメーンボードは、前記削除される映像ファイルリストが存在する場合、該映像ファイルを削除する段階と；(ｄ１)前記ＤＩＤメーンボードが、前記移動式格納媒体に前記外付型メモリに新たに格納される映像ファイルが存在する場合、前記該映像ファイルを複写して、前記外付型メモリに格納する段階とを含む。
【００２３】
また、本発明のまた他の目的を達成するために、本発明による映像ディスプレイ方法は、一つ以上の映像ファイルを既設定の順序により読み出して、使用者が視聴できるようにデコーディング処理して出力するＤＩＤメーンボードと、前記ＤＩＤメーンボードに着脱自在に連結する外付型メモリと、前記ＤＩＤメーンボードから出力されるオーディオ及びビデオ信号を受信してディスプレイするモニタとからなる映像ディスプレイシステムであって、(ａ２)使用者が、前記ＤＩＤメーンボードに連結する前記外付型メモリに特定製品コードの識別番号と同一名として指定された一つ以上の映像ファイルを格納する段階と；(ｂ２)使用者が、前記外付型メモリを前記ＤＩＤメーンボードに脱着自在に連結する段階と；(ｃ２)前記ＤＩＤメーンボードが、前記外付型メモリに格納された一つ以上の映像ファイルを既設定の順序により再生する段階と；(ｄ２)使用者がコードリーターを前記ＤＩＤメーンボードに脱着自在に連結した状態において、前記コードリーターを用いて特定製品に表示された製品コードをスキャンする段階と；(ｅ２)前記ＤＩＤメーンボードが、前記スキャンされた製品コードが入力されれば、現在再生される映像ファイルを強制的に中止させると同時に、前記外付型メモリに格納された映像ファイルのうち、スキャンされた製品コードの識別番号と同一のファイル名として指定された映像ファイルを直で再生する段階とを含む。
【発明の効果】
【００２４】
以上で説明した本発明の好適な実施例による映像ディスプレイシステム及び方法によれば、次のような長所を持つ。
【００２５】
第一に、使用者がＵＳＢメモリのような移動式格納媒体を映像ディスプレイシステムに連結するように挿入すれば、映像ディスプレイシステムの制御により特定映像ファイルの削除又は格納を行うアップデート手続が自動に実行される。
【００２６】
したがって、映像ディスプレイシステムに別途の入力装置や操作装置を構成することなく、全体システムを従来より簡単に構成できると同時に、映像ファイルのアップデートも従来より容易且つ便利に実行できる。
【００２７】
第二に、一つ以上の映像データが既設定の再生順序により再生される途中、使用者が特定製品に付着されたり印刷された特定製品コードをコードリーターを用いてスキャンすれば、スキャンした製品コードの識別番号とマッチングされる映像ファイルを外付型メモリから読み出して、該映像ファイルを直で再生できる。
【００２８】
したがって、使用者は、特定製品の購買相談を進行しながらも、簡単なスキャン動作によりスキャンした製品コードの識別番号とマッチングされる映像ファイルを直で再生できるため、顧客に該製品の広報を極大化できる。
【００２９】
第三に、使用者が特定製品コードをスキャンすることにより、スキャンした製品コードとマッチングされる映像ファイルが直で再生される場合、モニタの一側に既設定の期間の間にスキャンされた製品コードの全体スキャン回数を通報するスキャン回数情報を表示できる。
【００３０】
したがって、使用者や顧客は、売場で特定製品に関して相談する場合、製品を広報する映像ファイルを見ると同時に、全体スキャン回数情報も見られるため、他の顧客の製品関心度を参考として購買製品を決定し得る。
【図面の簡単な説明】
【００３１】
【図１】本発明の一実施例による映像ディスプレイシステムの外形図である。
【図２】本発明の一実施例による映像ディスプレイシステムのブロック構成図である。
【図３】図２に示す本発明の一実施例による映像ディスプレイシステムのＤＩＤメーンボードの内部構成を示すブロック構成図である。
【図４】本発明の一実施例による映像ディスプレイシステムに適用されるソフトウェアブロックダイアグラムである。
【図５】本発明の好適な実施例による映像ディスプレイシステムの初期化手続を説明するための制御流れ図である。
【図６】本発明の好適な実施例による映像ディスプレイシステムの映像ファイル自動繰返しディスプレイ手続を説明するための制御流れ図である。
【図７】本発明の好適な実施例による映像ディスプレイシステムにおいて、映像ファイルのアップデート処理手続を説明するための制御流れ図である。
【図８】本発明の好適な実施例による映像ディスプレイシステムにおいて、特定製品コードをスキャンした場合、スキャンした製品コードとマッチングされる映像ファイルを直で再生するコード連動ディスプレイ手続を説明するための制御流れ図である。
【発明を実施するための形態】
【００３２】
以下、添付の図面に基づき、本発明による映像ディスプレイシステムの構成及び動作を詳細に説明する。
【００３３】
図１は、本発明の一実施例による映像ディスプレイシステムの外形図であり、図２は、本発明の一実施例による映像ディスプレイシステムのブロック構成図である。
【００３４】
図１及び図２を参照すれば、本発明の一実施例による映像ディスプレイシステムは、製品を陳列するための内部空間が形成された四角形状のケース１００と、ケース１００の内部に設置され、一つ以上の特定映像ファイルを既設定の順序により読み出して、使用者が視聴できるようにデコーディング処理して出力するＤＩＤメーンボード２００と、ＤＩＤメーンボード２００に着脱自在に連結し、使用者の制御によりＤＩＤメーンボード２００が読み出す一つの映像ファイルが格納され、使用者によりスキャンされた特定製品コードが認識されるごとに設定の期間単位に全体スキャン回数を管理するデータベースエンジンが具備された外付型メモリ３００と、ケース１００の前面に固定され、ＤＩＤメーンボード２００から出力されるオーディオ及びビデオ信号を受信してディスプレイするモニタ４００と、ＤＩＤメーンボード２００に着脱自在に連結し、商品品目情報を含んだバーコード又はＲＦＩＤコードをスキャンし、スキャンした製品コードをＤＩＤメーンボード２００に伝達するコードリーター５００と、ＤＩＤメーンボード２００に着脱自在に連結し、外付型メモリ３００に少なくとも一つ以上の新しい映像ファイルを格納したり、外付型メモリ３００に格納された少なくとも一つ以上の映像ファイルを削除するための移動式格納媒体６００と、ケース１００の内部空間に照明を提供する照明装置７００とからなる。
【００３５】
本発明の好適な実施例では、外付型メモリ３００は、ＣＦ、ＮＤ、ＭＤ、ＣＤ、ＤＶＤ、ＳＤＨＣまたはＳＤＸＣメモリ、ＳＡＴＡ ＨＤＤメモリなどのＤＩＤメーンボード２００に連結して、一つ以上の映像ファイルが格納可能な全ての格納媒体の使用が可能であるが、本発明の実施例ではＳＤカードが使用されるのが好ましい。
【００３６】
また、モニタ４００は、ＣＲＴモニタ、ＬＣＤモニタ、ＰＤＰモニタ、透明モニタから選択されて適用されるが、本発明の好適な実施例では、図１に示すようにケース１００の前面に透明モニタが固定されるのが好ましい。
【００３７】
また、コードリーター５００は、バーコートリーター又はＲＦＩＤ(Radio Frequency Identification)リーターが用いられる。
【００３８】
バーコード(Bar Code)は、製品の外部表面や製品包装紙の外部表面にステッカーで付着されたり直接印刷され、１次元線形バーコードであるＥＡＮ−１３ ＣＯＤＥ、ＣＯＤＥ ３９、２／５ ＣＯＤＥ及びＣＯＤＥ １２８、２次元バーコードであるＱＰ(Quick Response)コード、多層型バーコード(Stacked BarCode)、並びにマトリックス型バーコード(Matrix BarCode)から用いられる。
【００３９】
一般に、バーコードには、国家識別コード、製造業者識別コード、商品品目コードなどを含んでいるため、コードリーター５００がバーコードをスキャンすれば、ＤＩＤメーンボード２００はスキャンされたバーコードに含まれた商品品目コードから該製品がわかる。
【００４０】
また、ＦＲＩＤは、生産から販売に達する全過程の情報を超小型チップ(ＩＣチップ)に内蔵させてこれを無線周波数で追跡することができ、電子結合方式(Inductive Coupling)、マイクロ波方式(Microwave System)、電子誘導方式(Electrostacic Coupling)及び光方式(Optic System)コードの一つの技術により具現できる。
【００４１】
このようなＲＦＩＤ技術は、バーコード技術よりも相対的に格納容量が大きくて、リアルタイム情報把握が可能であり、ＦＲＩＤタグと多少離隔した状態でも情報の読み取りが可能であるため、今後のバーコードを代える次世代認識技術として認識されている。
【００４２】
一般に、ＲＦＩＤコードにも、バーコードのような商品品目コードなどを含んでいるため、コードリーター５００が特定ＲＦＩＤコードをスキャンすれば、ＤＩＤメーンボード２００はスキャンされたＲＦＩＤコードに含まれた商品品目コードから該商品がわかる。
【００４３】
また、移動式格納媒体６００は、ＵＳＢメモリが用いられるのが好ましい。
【００４４】
また、照明装置７００は、照明を提供する多様なＬＥＤバックライト装置が用いられ、ケース１００の一側にＬＥＤライトの照度を調節するための照度調節スイッチ(ＶＲ１)が設置される。
【００４５】
図２に示すアダプタ９０は、モニタ４００に印加される交流常用電力を既設定の静電圧に整流し、ケース１００の一側に具備された電源スイッチ(ＳＷ１)を用いてモニタ４００の駆動を制御する。
【００４６】
また、ケース１００の一側には、モニタ４００と一体型又は分離型に設置されたスピーカ(図時せず)のボリュームを調節するためのボリューム調節スイッチ(ＶＲ３)と、ＤＩＤメーンボード２００の駆動をスイッチング制御する電源スイッチ(ＳＷ３)とが各々設置される。
【００４７】
図３は、図３に示す本発明の一実施例による映像ディスプレイシステムのＤＩＤメーンボードの内部構成を示すブロック構成図である。
【００４８】
図３を参照すれば、本発明の一実施例による映像ディスプレイシステムのＤＩＤメーンボード２００は、外付型メモリ３００に格納された特定映像ファイルをデコーディング処理して出力するための全般的な制御動作を遂行するＣＰＵ３１０と、ＣＰＵ３１０の制御により外付型メモリ３００から読み出した映像ファイルがロードされた第１内部メモリ(ＤＤＲ−２ＤＲＡＭ)３２０と、外付型メモリ３００から読み出した映像ファイルを内蔵されたハードウェアコデックスを用いてデコードするビデオデコーダ３３０と、ビデオデコーダ３３０からデコードされた映像信号にテキストがミキシングされた映像信号をモニタ４００に伝送するオーディオ及びビデオ出力部３４０と、ＰＣＩ、ＵＳＢ、ＳＡＴＡインターフェースの一つを用いて移動式格納媒体６００に格納された映像ファイルを読み出して第１内部メモリ３２０にロードする周辺機器インターフェース部３５０と、Ｌｉｎｕｘシステムに具備された各種ハードウェアを初期化するブートローダ(Boot Loader)と、Ｌｉｎｕｘシステムが動作できるようにソフトウェア的な初期化作業を遂行するＫｅｒｎｅｌが各々格納される第２内部メモリ(Flash Memory)３６０とを含む。
【００４９】
本発明の好適な実施例において、周辺機器インターフェース部３５０は、アナログ方式であるが、ＨＤ級映像の伝達が可能なインターフェースであるコンポーネント(Component)やＤ−Ｓｕｂ(D-Subminiature)、或いは、デジタル方式の映像と音響信号とを一つのケーブルで同時に伝達するＨＤＭＩ(High-Definition Multimedia Interface)が用いられるのが好ましい。
【００５０】
図４は、本発明の一実施例による映像ディスプレイシステムに適用されるソフトウェアブロックダイアグラムである。
【００５１】
図４を参照すれば、まず、Ｈａｒｄｗａｒｅ階層１は、メーンチップと部品をひっくるめてメディアプレーヤを構成する物理的な構成品として、物理階層とも呼ばれる。
【００５２】
Ｍｉｃｒｏｃｏｄｅｓ階層２は、機械語より上位言語としてハードウェアを命令語水準に直接制御する場合に使用し、本発明による映像ディスプレイシステムでは、ライセンスと関連した保安コードを通してビデオデコーダ３３０の初期化などに用いられる。
【００５３】
Ｅｍｂｅｄｄｅｄ ＯＳ階層３は、ハードウェアプラットホームの運営体として、本発明による映像ディスプレイシステムでは、Ｅｍｂｅｄｄｅｄ Ｌｉｎｕｘ２.６.ｘが搭載及び実行されるのが好ましい。
【００５４】
また、Ｈａｒｄｗａｒｅ Ａｂｓｔｒａｃｔｉｏｎ階層４は、運営体制でＤｅｖｉｃｅドライバを通してハードウェアと通信するためのインターフェースである。
【００５５】
Ｐｒｅｓｅｎｔａｔｉｏｎ Ｅｎｇｉｎｅ階層５は、多様な種類(それぞれ異なるコデックスの映像及び音声)のメディアを再生して制御するために、パラメータ指定形式で具現されたソフトウェアモジュール(サービスレイヤ)である。
【００５６】
Ｍｉｄｄｌｅｗａｒｅ階層６は、使用者の入力とチップセット基盤で提供しない多様な入出力装置などを通して入力される信号とデータを効果的に管理し、使用者と親しいＵＩ／ＵＸ(User Interface/User Experience)を具現するソフトウェアパッケージである。
【００５７】
本発明の好適な実施例では、Ｅｍｂｅｄｄｅｄシステムでよく用いるＤｉｒｅｃｔＦＢを本発明のシステムに合うようにポティンして用いる。
【００５８】
Ａｐｐｌｉｃａｔｉｏｎ階層７は、ミドルウェアが提供するＵＩ／ＵＸ、ＨＩＤ(Human Interface Device)、Ｓｔｏｒａｇｅ Ｉ／Ｏ Ｉｎｔｅｒｆａｃｅなどを用いて、特定目的に合うように開発されたソフトウェアである。
【００５９】
本発明の好適な実施例では、バーコード又はＲＦＩＤ認識基盤の映像再生装置として運営するために用いる画面出力メッセージ及び映像ファイルのアップデート手続を、開発されたＤｉｒｅｃｔＦＢ Ｍｉｄｄｌｅｗａｒｅ基盤の応用プログラムを用いて実行する。
【００６０】
以下、添付図面に基づき、本発明の好適な実施例による映像ディスプレイシステムの動作を詳細に説明する。
【００６１】
映像ディスプレイシステムの初期化手続
図５は、本発明の好適な実施例による映像ディスプレイシステムの初期化手続を説明するための制御流れ図である。
【００６２】
図２〜図５を参照すれば、モニタ４００の電源スイッチ(ＳＷ１)及びＤＩＤメーンボード２００の電源スイッチ(ＳＷ３)を操作して電源を印加する(Ｓ１０１)。
【００６３】
次に、ＤＩＤメーンボード２００に具備されたＣＰＵ３１０は、第２内部メモリ(Flash)３６０に格納されたブートローダを用いてＤＩＤメーンボード２００のチップセットを初期化し、第２内部メモリ３６０に格納されたＥｍｂｅｄｄｅｄ Ｌｉｎｕｘカーネルをロードする(Ｓ１０２)。
【００６４】
次に、Ｅｍｂｅｄｄｅｄ Ｌｉｎｕｘカーネルが第１内部メモリ(ＤＤＲ−２ ＤＲＡＭ)３２０に搭載されると、映像ディスプレイシステムに具備された各インターフェース装置(ＵＳＢ、ＳＡＴＡ、ＳＤＩＯ、バーコード、ＲＦＩＤコード等)を使用するために、カーネルが連結しているディバイスドライバを初期化する(Ｓ１０３)。
【００６５】
次に、ＤＩＤメーンボード２００に具備されたＣＰＵ３１０は、外付型メモリ３００に格納されたシェルスクリプトを用いて、メーンチップセットと通信できるようにドライバを初期化する(Ｓ１０４)。
【００６６】
このとき、外付型メモリ３００に格納されたシェルスクリプトにより、最終の応用プログラム作成時に用いられたＤｉｒｅｃｔＦＢミドルウェアライブラリがロードされ、映像ディスプレイシステムの初期化設定動作が完了する(Ｓ１０５)。
【００６７】
映像ファイル自動繰返しディスプレイ手続
図６は、本発明の好適な実施例による映像ディスプレイシステムの映像ファイル自動繰返しディスプレイ手続を説明するための制御流れ図である。
【００６８】
図６を参照すれば、映像ディスプレイシステムの初期化設定動作が完了した状態において、使用者は、まず、ＳＤカードのような外付型メモリ３００を別途のコンピュータに連結してＦＡＴ３２ファイルシステムにフォーマットした後、外付型メモリ３００の内部にＡｕｔｏｐｌａｙフォルダを生成し、選択的にｐｌａｙｌｉｓｔ.ｔｘｔファイルを生成する(Ｓ１１１)。
【００６９】
ここで、Ａｕｔｏｐｌａｙフォルダは、モニタ４００にディスプレイする一つ以上の映像ファイルを格納するために用いられ、ｐｌａｙｌｉｓｔ.ｔｘｔファイルは、使用者が外付型メモリ３００に格納された映像ファイルのディスプレイ順序を定めるために用いられる。
【００７０】
次に、使用者は、外付型メモリ３００のＡｕｔｏｐｌａｙフォルダに一つ以上の映像ファイルを各々格納したり、ｐｌａｙｌｉｓｔ.ｔｘｔファイルに再生順に一つ以上の映像ファイル名を入力する(Ｓ１１２)。
【００７１】
このとき、使用者は、外付型メモリ３００にｐｌａｙｌｉｓｔ.ｔｘｔファイルを作成し、内部に映像ファイルのディスプレイ順序の指定が完了した外付型メモリ３００をＤＩＤメーンボード２００に脱着式に連結する(Ｓ１１３)。
【００７２】
したがって、ＤＩＤメーンボード２００のＣＰＵ３１０は、外付型メモリ３００内に格納された一つ以上の映像ファイルを既設定の順序により繰り返し再生する(Ｓ１１４)。
【００７３】
このとき、外付型メモリ３００の内部にｐｌａｙｌｉｓｔ.ｔｘｔファイルが存在しない場合、ＤＩＤメーンボード２００のＣＰＵ３１０は、外付型メモリ３００の内部に格納された映像ファイルをアルファベット順にディスプレイする。
【００７４】
映像ファイルのアップデート手続
図７は、本発明の好適な実施例による映像ディスプレイシステムにおいて、格納された映像ファイルを削除したり、新しい映像ファイルを格納するアップデート手続を説明するための制御流れ図である。
【００７５】
図７を参照すれば、使用者は、まず、ＵＳＢメモリのような移動式格納媒体６００を別途のコンピュータに連結して、ＦＡＴ３２ファイルシステムを用いてフォーマットした後、移動式格納媒体６００の内部にＵｐｄａｔｅフォルダ及びＤｅｌｅｔｅ.ｔｘｔファイルを各々生成する(Ｓ１２１)。
【００７６】
ここで、Ｕｐｄａｔｅフォルダは、モニタ４００にディスプレイする一つ以上の映像ファイルを格納した後、外付型メモリ３００に自動複写するために用いられ、 Ｄｅｌｅｔｅ.ｔｘｔファイルは、現在外付型メモリ３００に格納された一つ以上の映像ファイルのうち、現在ディスプレイされていたり、待機状態である一つ以上の映像ファイルを削除するために用いられる。
【００７７】
次に、使用者は、移動式格納媒体６００が連結している別途のコンピュータにおいて、移動式格納媒体６００のＵｐｄａｔｅフォルダに一つ以上の映像ファイルを生成する(Ｓ１２２)。
【００７８】
次に、使用者は、生成された映像ファイルのファイル名をバーコードの識別番号又はＲＦＩＤコードの識別番号と同一に指定し(Ｓ１２３)、指定された映像ファイルを複写して移動式格納媒体６００のＵｐｄａｔｅフォルダ内に格納する(Ｓ１２４)。
【００７９】
また、外付型メモリ３００に削除する映像ファイルが存在する場合、Ｄｅｌｅｔｅ.ｔｘｔファイル内に外付型メモリ３００に格納された映像ファイルのうち、削除する映像ファイルのファイル名を入力する(Ｓ１２５)。
【００８０】
例えば、使用者が、移動式格納媒体６００のＵｐｄａｔｅフォルダ内に指定された４つの映像ファイル(８８０１０３７０３２５８１.ｗｍｖ、８８０１０６９２２２４７９.ａｖｉ、８８０９００３５００４４７.ｍｐｇ、８８０９００５５８８４２９.ｍｐ４)を指定した場合、それぞれのファイル名は、外付型メモリ３００に新たに格納される該製品のバーコード又はＲＦＩＤコードの識別番号を意味する。
【００８１】
また、使用者が、移動式格納媒体６００のＤｅｌｅｔｅ.ｔｘｔファイル内に４つの映像ファイル(８８０１０３７０３２５８１.ｗｍｖ、８８０１０６９２２２４７９.ａｖｉ、８８０９００３５００４４７.ｍｐｇ、８８０９００５５８８４２９.ｍｐ４)を指定した場合、それぞれのファイル名は、削除される該製品のバーコード又はＲＦＩＤコードの識別番号を意味する。
【００８２】
Ｄｅｌｅｔｅ.ｔｘｔファイルの内部に自動実行されるプログラムにおいて、使用者が、[ｄｅｌｅｔｅ]の次のラインに、ｎｏｎｅを入力すれば削除する映像ファイルがないという意味であり、ａｌｌを入力すれば全ての映像ファイルを削除するという意味であり、映像ファイル名を入力すれば該映像ファイルのみを削除するという意味である。
【００８３】
次に、使用者は、移動式格納媒体６００を別途のコンピュータから分離し、必要時に映像ディスプレイシステムのＤＩＤメーンボード２００のＵＳＢ端子(Ｐ１、Ｐ２)の一つに連結するように挿入する(Ｓ１２６)。
【００８４】
このとき、ＤＩＤメーンボード２００のＣＰＵ３１０は、ＵＳＢ端子Ｐ１に移動式格納媒体６００の接続が感知される場合、移動式格納媒体６００のＤｅｌｅｔｅ.ｔｘｔファイル内に削除される映像ファイルリストが存在するか否かを判断する(Ｓ１２７)。
【００８５】
判断の結果、外付型メモリ３００のＤｅｌｅｔｅ.ｔｘｔファイルに削除される映像ファイルリストが存在する場合、ＤＩＤメーンボード２００のＣＰＵ３１０は、該映像ファイルを削除する(Ｓ１２８)。
【００８６】
次に、ＤＩＤメーンボード２００のＣＰＵ３１０は、移動式格納媒体６００のＵｐｄａｔｅフォルダ内に新たに格納される映像ファイルが存在するか否かを判断する(Ｓ１２９)。
【００８７】
判断の結果、移動式格納媒体６００のＵｐｄａｔｅフォルダ内に外付型メモリ３００に新たに格納される映像ファイルが存在する場合、ＤＩＤメーンボード２００のＣＰＵ３１０は、移動式格納媒体６００のＵｐｄａｔｅフォルダ内にある該映像ファイルを複写して、外付型メモリ３００に格納する(Ｓ１３０)。
【００８８】
以後、ＤＩＤメーンボード２００のＣＰＵ３１１は、Ｕｐｄａｔｅ手続の完了を通知するメッセージをモニタ４００に表示し(Ｓ１３２)、続けて、ＤＩＤメーンボード２００のＵＳＢ端子Ｐ１に挿入された移動式格納媒体６００の除去を勧告するメッセージをモニタ４００に表示する(Ｓ１３３)。
【００８９】
ＤＩＤメーンボード２００のＣＰＵ３１０は、移動式格納媒体６００が除去されたか否かを判断し(Ｓ１３４)、移動式格納媒体６００が除去された場合、全てのアップデート手続が完了したと判断し、Ａｐｐｌｉｃａｔｉｏｎに新たにアップデートした全ての映像ファイルの再生目録をさらにインデクシングするために、ＤＩＤメーンボード２００を再起動させる(Ｓ１３５)。
【００９０】
したがって、ＤＩＤメーンボード２００のＣＰＵ３１０は、外付型メモリ３００内にアップデートされた映像ファイルを既設定の再生順序により再生する(Ｓ１３６)。
【００９１】
以上で説明した図７を参照すれば、使用者は、特定映像ファイルを外付型メモリ３００に格納された映像ファイルを削除したり、外付型メモリ３００に新たに格納する映像ファイルアップデート手続が実行される場合、ＵＳＢ端子Ｐ１に移動式格納媒体６００を挿入しさえすれば、別途の入力部や操作部の動作なしに、映像ファイルのアップデート手続を自動に実行できる。
【００９２】
バーコード又はＲＦＩＤコード連動ディスプレイ手続
図８は、本発明の好適な実施例による映像ディスプレイシステムにおいて、特定製品コードがスキャンされた場合、スキャンした製品コードとマッチングされる映像ファイルを直で再生するコード連動ディスプレイ手続を説明するための制御流れ図である。
【００９３】
図８を参照すれば、使用者は、映像ディスプレイシステムの初期化手続が完了した状態において、別途のコンピュータに外付型メモリ３００を連結させ、外付型メモリ３００の内部にＣｏｎｔｅｎｔｓフォルダを生成する(Ｓ１４１)。
【００９４】
次に、使用者は、別途のコンピュータにおいて、映像ファイル名が特定製品のバーコード又はＲＦＩＤコードの識別番号として指定される一つ以上の映像ファイルを生成する(Ｓ１４２)。
【００９５】
次に、使用者は、別途のコンピュータで生成した特定製品のバーコード又はＲＦＩＤコードの識別番号として指定された一つ以上の映像ファイルを複写して、外付型メモリ３００のＣｏｎｔｅｎｔｓフォルダに格納する(Ｓ１４３)。
【００９６】
次に、使用者は、外付型メモリ３００を映像ディスプレイシステムのＤＩＤメーンボード２００の連結端子に脱着自在に連結する(Ｓ１４４)。
【００９７】
ＤＩＤメーンボード２００のＣＰＵ３１０は、外付型メモリ３００のＣｏｎｔｅｎｔｓフォルダに格納された一つ以上の映像ファイルを既設定の順序により再生する(Ｓ１４５)。
【００９８】
次に、使用者は、コードリーター５００をＤＩＤメーンボード２００のＵＳＢ端子Ｐ２に脱着自在に連結した状態において、コードリーター５００を用いて特定製品に表示されたバーコード又はＲＦＩＤコードをスキャンする(Ｓ１４６)。
【００９９】
ＤＩＤメーンボード２００のＣＰＵ３１０は、スキャンされたバーコード又はＲＦＩＤコードが入力されたか否かを判断する(Ｓ１４７)。
【０１００】
ＤＩＤメーンボード２００のＣＰＵ３１０は、特定バーコード又はＲＦＩＤコードが入力されれば、スキャンされた製品コードの識別番号と同一のファイル名として指定された映像ファイルが外付型メモリ３００のＣｏｎｔｅｎｔｓフォルダに存在するか否かを判断する(Ｓ１４８)。
【０１０１】
もし、Ｃｏｎｔｅｎｔｓフォルダにスキャンされた製品コードの識別番号と同一のファイル名として指定された映像ファイルが存在する場合、ＤＩＤメーンボード２００のＣＰＵ３１０は、現在再生される映像ファイルを強制的に中止させると同時に、スキャンされた製品コードの識別番号と同一のファイル名として指定された映像ファイルを直で再生する(Ｓ１４９)。
【０１０２】
また、ＤＩＤメーンボード２００のＣＰＵ３１０は、直で再生された映像ファイルの再生が終了されたか否かを判断し(Ｓ１５０)、再生が終了した場合、外付型メモリ３００のＣｏｎｔｅｎｔｓフォルダに格納された映像ファイルを既設定の再生順序により繰り返し再生する(Ｓ１５１)。
【０１０３】
また、本発明の好適な実施例による映像ディスプレイシステムでは、使用者が特定製品コードをコードリーター５００を用いてスキャンするごとに、スキャンされた製品コードにマッチングされる映像ファイルがモニタ４００に直で再生される時、モニタ４００の一側に設定期間の間に同一の製品コードがスキャンされた全体スキャン回数情報を表示できる。
【０１０４】
すなわち、ＤＩＤメーンボード２００のＣＰＵ３１０は、バーコード又はＲＦＩＤコードがスキャンされる時、外付型メモリ３００に格納されたＥｍｂｅｄｄｅｄデータベースエンジンを用いて、スキャンされたバーコード又はＲＦＩＤコードをＫｅｙとして、バーコード又はＲＦＩＤコードが認識されるごとにスキャン回数をカウントする。
【０１０５】
このとき、データベースエンジンは、バーコード又はＲＦＩＤコードの１回生成時、次のような表１に示すデータベースとして製品コードを管理する。
【０１０６】
【表１】
2013073234.tif 000003
【０１０７】
したがって、データベースエンジンは、同一の製品コードの識別番号に対し、使用者により製品コードがスキャンされる時、該製品コードが設定された期間(例えば、日付単位)内に何回をスキャンしたかを次のような表２により記録及び管理でき、製品コードがスキャンされるごとに各製品コードがスキャンされた日付及び時間を表３のように記録及び管理できる。
【０１０８】
【表２】
2013073234.tif 000004
【０１０９】
【表３】
2013073234.tif 000005
【０１１０】
したがって、使用者が特定製品コードをコードリーター５００を用いてスキャンする場合、データベースエンジンは、該製品コードが設定された期間内に何回もスキャンされたかを示す全体スキャン回数情報を管理しながら、図１に示すように全体スキャン回数情報(ＳＨ)をモニタ４００の一側上段にディスプレイすることができる。
【０１１１】
また、システム初期のブーティング時に、スキャン回数が多い製品コードを基準として映像を再生でき、ネットワークを通して共有する場合、各売場別に販売集計及び日付別／時間別統計を活用して、効果的に広告を露出できる映像ディスプレイシステムを構成できる。
【符号の説明】
【０１１２】
１００  ケース
２００  ＤＩＤメーンボード
３００  外付型メモリ
４００  モニタ
５００  コードリーター
６００  移動式格納媒体
７００  照明装置
３１０  ＣＰＵ
３２０、３６０  内部メモリ
３３０  ビデオデコーダ
３４０  オーディオ及びビデオ出力部
３５０  周辺機器インターフェース部
【図１】
2013073234.tif 000006
【図２】
2013073234.tif 000007
【図３】
2013073234.tif 000008
【図４】
2013073234.tif 000009
【図５】
2013073234.tif 000010
【図６】
2013073234.tif 000011
【図７】
2013073234.tif 000012
【図８】
2013073234.tif 000013